Podtech/llm-jp-corpus-v4-ja_patent huggingface dataset:
(57)【要約】【課題】    睡眠や横たわった姿勢で休息する場合に使用される枕は、其の使い勝手が重要な要素であることから、健康枕・安眠枕などとして形状や機能に関する様々な提案がなされているが、例えば木材の香り効果を利用する場合その効果の持続性に問題があり、また特殊な材料を特殊な加工を施して使用する物では、供給量やコストの面で問題がある。【解決手段】    木の香りを応用する枕の素材として、間伐材として豊富に存在する杉や檜などの芳香性木材をチップ化したものを用いることにより安価な枕素材が得られ、香りが薄れた場合に容易に交換または使い捨てが出来る。【選択図】          図１
2007105427.tif 000002
【特許請求の範囲】
【請求項１】
枕本体の内部構造が外側層と内部空間とからなる二重構造の袋状に構成され、外側層は通気性・弾力性を備えた一般的な枕素材が充填され、内部空間は枕側面の一辺または二辺をファスナーなどで開閉自在とし、内部空間には檜や杉など芳香性の木材のチップを通気性の素材の袋に充填した包装体を収納したことを特徴とする健康枕。
【請求項２】
開閉自在な袋状枕カバーの中に、芳香性の木材チップを通気性の袋に充填した包装体を収納したことを特徴とする健康枕。
【発明の詳細な説明】
【技術分野】
【０００１】本発明は木材の香りを利用した健康枕に関するものである。
【背景技術】
【０００２】
【特許文献１】特開２００２−１１９４０２号公報
【特許文献２】特開２００３−３１９８５９号公報
【発明の開示】
【発明が解決しようとする課題】
【０００３】睡眠や横たわった姿勢で休息する場合に使用される枕は、其の使い心地や使い勝手が重要な要素であることから、健康枕・安眠枕などとして形状や機能に関する様々な提案がなされている。
しかしながら、例えば特許文献１のように木材の香り効果を利用する場合その効果の持続性に問題があり、また例えば特許文献２のように特殊な材料を特殊な加工を施して使用する物では、素材の供給量やコストの面で問題がある。
【課題を解決するための手段】
【０００４】本発明は枕の素材として、間伐材として豊富に存在する杉や檜などの芳香性木材をチップ化したものを用いる。
【発明の効果】
【０００５】杉や檜などの木材の香りが精神安定効果を有することは広く知られており、これを枕の材料として用いれば、その香りの精神安定効果により安眠や安らぎに寄与し、健康促進が期待できる。  更に林業において其の処分に困っている間伐材の活用が促進され、いわゆる健康枕の低コスト化を実現でき、香りが薄れてきた場合には容易にチップを交換または使い捨てが出来る。
【実施例１】
【０００６】図１、図２、図４３において、枕本体１の内部構造は外側層２と内部空間３とからなる二重構造の袋状になっており、外側層は通気性・弾力性を備えた一般的な枕素材５が充填されている、内部空間は枕側面の一辺または二辺をファスナーなどの開閉手段４で開閉自在としておき、檜や杉など芳香性の木材のチップ６を通気性の素材の袋に充填した包装体７を収納する。  使用期間の経過に伴って芳香性が薄れた場合には、チップの包装体を交換することにより枕の芳香性を復活させることが出来る。  枕本体の表面は枕カバーで覆うか、または表面を装飾性のある素材とするか任意である。
【実施例２】
【０００７】図４において、ファスナーなど開閉手段で開閉する袋状枕カバー８の中に、芳香性の木材チップを通気性の袋に充填した包装体７を収納する。  使用期間の経過に伴って芳香性が薄れた場合には、枕カバーの中身は安価な包装体なのでこれを交換すればよい。
【図面の簡単な説明】
【０００８】
【図１】本発明の実施例１による健康枕の平面図
【図２】本発明の実施例２による健康枕の短側面図
【図３】実施例１による短辺に平行な断面図
【図４】実施例２による短辺に平行な断面図
【符号の説明】
【０００９】１  枕本体
２  外側層
３  内部空間
４  開閉手段
５  通気性・弾力性素材
６  芳香性木材のチップ
７  包装体
８  枕カバー
【図１】
2007105427.tif 000003
【図２】
2007105427.tif 000004
【図３】
2007105427.tif 000005
【図４】
2007105427.tif 000006
(57)【要約】      （修正有）【課題】凹凸突起又、盛り上げを備えたマットにメッシュカバーを覆い、容器にはめ込み使用する洗浄マット付き足湯器に関するものである。【解決手段】マット１表面の指部左右に１本ずつ突起形状２を設け、土踏まず部３に盛り上げ部を設け、かかと部４に２連湾曲形を設け、かかと部以外の表面に横線凹凸を備え、かかと部表面に縦線凹凸を備え、裏面の土踏まず凹部に吸着盤をを１個設け、このマットを覆うメッシュカバー１０を設け、マットが入る容器６の前後にマット浮き止め突出部７を設け、１角に排水ポンプ掛けを設け、外底面にずり止め凹凸を設けた事を特徴とする洗浄マット付き足湯器。【選択図】図１
2007105416.tif 000002
【特許請求の範囲】
【請求項１】
マット表面の指部左右に１本ずつ突起形状を設け、土踏まず部に盛り上げ部を設け、かかと部に２連湾曲形を設け、かかと部以外の表面に横線凹凸を備え、かかと部表面に縦線凹凸を備え、裏面の土踏まず凹部に吸着盤を１個設け、このマットを覆うメッシュカバーを設け、マットが入る容器の前後にマット浮き止め突出部を設け、１角に排水ポンプ掛けを設け、外底面にずり止め凹凸を設けたことを特徴とする洗浄マット付き足湯器。
【発明の詳細な説明】
【技術分野】
【０００１】  本発明は、凹凸突起又、盛り上げを備えたマットにメッシュカバーで覆い、容器にはめ込み使用する洗浄マット付足湯容器に関するものである。
【背景技術】
【０００２】  従来、足湯容器、洗浄マットの個別のものであり、また、マットはブラシ付きの物などがあった。
【発明の開示】
【発明が解決しようとする課題】
【０００３】そのために、次のような問題点があった。
（イ）ブラシの場合起毛がつぶれてきたり、汚れがめり込み衛生的なものでない。
（ロ）入浴できない場合や、足腰に障害を持った人が楽な姿勢で足湯を楽しみながら足        裏の洗浄が出来る物はなかった。
本発明は、これらの問題点を解決するためになされたものである。
【課題を解決するための手段】
【０００４】  マット表面の指部左右に１本ずつ突起形状を設け、土踏まず部に盛り上げを設け、かかと部は２連湾曲形を設ける。かかと部以外の表面に横線凹凸を備えかかと部表面に縦線凹凸をそなえる。裏面の土踏まず凹部に吸着盤を１個設ける。マットにメッシュカバーを設ける。このマットが入る容器の内部前後にマット浮き止め突出部を設ける。１角に排水ポンプ掛けを設ける。外面底部にずり止め凹凸を設ける。以上を特徴とする洗浄マット付き足湯器である。
【発明の効果】
【０００５】  足湯で皮膚が柔らかくなった時点で、マットの凹凸の刺激とメッシュの感触の相乗効果で癒されながら洗浄が出来る。
排水ポンプを使用する事は、こごんで無理な姿勢をせず手元で操作が出来る。
簡素な形状容器と洗浄マットのセットで、後始末も扱いやすく、マット、容器も清潔にして使用できる。
【発明を実施するための最良の形態】
【０００６】以下、本発明の実施の形態について説明する。
（イ）マット（１）の指部左右に１本ずつ突起形状（２）を設けるが、表面に凹凸を施        す。土踏まず部の盛り上がり部（３）を設け、かかと部（４）はなだらか盛り上        げ湾曲形状を設け、表面に縦線凹凸を備える。かかと部（４）以外の表面に横線        凹凸を備える。
（ロ）マット裏面の土踏まず部（３）の凹部に吸着盤（５）を１個設ける。
容器（６）は、マットが入る大きさで前後にマット浮き止め突出部（７）を設け        る。外底面にずり止め凹凸（９）を設ける。
（ハ）縁の１角に排水ポンプ掛け（８）を設ける。
（ニ）メッシュカバー（１０）は、マットがゆったり入る大きさにして、底面に出し入        れする穴（１１）を開けゴム紐を通す。
本発明はい上の様な構成で、これを使用する時はマット（１）にメッシュカバー（１０）を覆い容器（６）の中の浮き止め突出部（７）に挟み込み裏面の吸着盤（５）の部分を押し吸着させセットする。湯をいれ椅子に座り足を入れ上下に動かしながら、また指の間に指部突起部（２）を差し入れながら洗い、かかと部（４）にかかとを回しこすりながら洗う。
湯を排水ポンプで出し、取替え又は、シャワーなどで掛け湯する。
【実施例１】
【０００７】マットは、合成ゴム等の弾力があるもので凹凸が心地よい刺激を与えられる硬さのものにする。
容器は、ポリプロピレン等で外面にごむずり止めをほどこす。
【図面の簡単な説明】
【０００８】
【図１】本発明のセット平面図
【図２】本発明のマット裏図
【図３】本発明の容器正面図
【図４】本発明のメッシュカバー
【符号の説明】
【０００９】１    マット
２    指部
３    土踏まず部
４    かかと部
５    吸着盤
６    容器
７    浮き止め突出部
８    排水ポンプ掛け
９    ずり止め凹凸
１０  メッシュカバー
１１  穴
【図１】
2007105416.tif 000003
【図２】
2007105416.tif 000004
【図３】
2007105416.tif 000005
【図４】
2007105416.tif 000006
(57)【要約】【課題】奥行きや、高さのある家具や車を、掃除をする際には、踏み台を使用し、手に雑巾を持って、汚れた所を拭いていまいしたが、それでも手が届かない場合や、重たい踏み台を、幾度と移動をすることにより、体力的に負担がありました。【解決手段】掃除道具の基盤となる長方形で四面体のスポンジに、奥行きや高さに対応が出来るように、二本の持ち手の棒の先端同士を、直角に接続し、それぞれの棒に、着脱機能と伸縮機能を設ける。【選択図】図１
2007105412.tif 000002
【特許請求の範囲】
【請求項１】
持ち手となる棒と、水気を切る際に使用する絞り部品との間に、ゴムチューブを通し、ゴムチューブの部分に、長方形で四面体のスポンジを、固定させたことを特徴とする掃除道具である。
【請求項２】
掃除道具の基盤となるスポンジに、スポンジ型の布のカバーを被せることで、水拭きや、乾拭きや、ワックスをかけることが出来ることを特徴とする掃除道具。
【請求項３】
持ち手となる二本の棒の先端同士を直角に接続し、それぞれの棒に、着脱機能と伸縮機能を設け、奥行きと高さに、対応が出来ることを特徴とする掃除道具。
【発明の詳細な説明】
【技術分野】
【０００１】  この発明は、家具や車などの手の届かない所を、掃除をする際に用いる掃除道具の形状に関する。
【背景技術】
【０００２】  従来、高所などの手が届かない所を、掃除をする際には、踏み台を使用し、手に雑巾を持って、汚れた所を拭いていました。
【発明の開示】
【発明が解決しようとする課題】
【０００３】  しかしながら、以上の技術によれば、奥行きのある箇所まで手が届かないこともあり、別の掃除場所がある場合は、その都度、踏み台を移動しなければなりませんでした。
そこで、この発明は、奥行きのある箇所まで、手が届いて掃除をすることが出来て、幾度と踏み台を持ち運び、移動をしなくても済むことを課題とする。
【課題を解決するための手段】
【０００４】  以上の課題を解決するために、第一発明は、持ち手となる棒と、水気を切る際に必要となる絞り部品との間に、ゴムチューブを通し、ゴムチューブの部分に、長方形で四面体のスポンジを固定させたことを特徴とする掃除道具である。
また、第二発明は、掃除道具の基盤となるスポンジに、スポンジ型の布のカバーを被せることで、水拭きや、乾拭きや、ワックスをかけることが、出来ることを特徴とする掃除道具である。
また、第三発明は、持ち手となる二本の棒の先端同士を直角に接続し、それぞれの棒に着脱機能と伸縮機能を設け、奥行きと高さに対応することが、出来ることを特徴とする掃除道具である。
【発明の効果】
【０００５】  第一発明、または第二発明、または第三発明によれば、スポンジの部分で、洗剤を使用して洗浄をすることが出来て、スポンジの上に、スポンジ型の布のカバーを被せることで、水拭きや、乾拭きや、ワックスをかけることが、出来るようになりました。また、着脱機能と伸縮機能を二本の棒に設けたことで、磨く面を変更することが出来て、奥行きや高さのある所も、容易に掃除をすることが出来るようになり、踏み台を使用しなくても済むようになりました。
【発明を実施するための最良の形態】
【０００６】  この発明の一実施形態を、図１に示す。
掃除道具の本体１はポリウレタンフォーム製であり、この本体１の内面には、両側面にあるポリプロピレン製の持ち手の棒２と、ポリプロピレン製の絞り部品３との間を、繋ぐためのゴムチューブ４を一体的に設け、スポンジ型の布のカバー５の布地には、綿素材を設けたものと、防水対策として綿の布地の裏側に、塩化ビニール製の裏地を設けたものとを、２種類の布のカバーを設ける。そして、持ち手の棒２には、着脱ボタン６と伸縮ボタ設けられている。【０００７】「実施形態の効果」
この実施形態によれば、掃除道具の本体１のスポンジの部分で、洗剤を使用して洗浄をすることが出来て、スポンジの上に、スポンジ型の布のカバー５を被せることで、水拭きや、乾拭きや、ワックスをかけることが出来るようになりました。また、ゴムチューブ４の働きで、スポンジや布を直接、手で掴んで絞らなくても、スポンジの両側面にある持ち手の棒２と、絞り部品３を両手でひねることで、水気を切ることが出来るようになりました。また、着脱ボタン６と伸縮ボタン７を、二本の持ち手の棒に設けたことで、磨く面を変更することが出来て、奥行きや高さのある所も、容易に掃除をすることが出来るようになり、踏み台を使用しないで、掃除をすることが出来るようになりました。
【図面の簡単な説明】
【０００８】
【図１】この発明の一実施形態を示す斜視図である。
【符号の説明】
【０００９】      １  掃除道具の本体
２  持ち手の棒
３  絞り部品
４  ゴムチューブ
５  スポンジ型の布のカバー
６  着脱ボタン
７  伸縮ボタン
【図１】
2007105412.tif 000003
(57)【要約】【課題】    従来のこれらのブレスレットはゲルマニュウムの粒を内側に取り付けたものが主流であった。  そのため、ゲルマニュウムを取り付けるためにブレスレットの内側に複雑な加工をする必要があった。【解決手段】  そのような欠点を取り除くためにこの発明はバネ性のある金属をＣ字形状に加工したものにゲルマニュウムを塗布し周囲をシリコンや樹脂などの柔らかいもので包むために二重成型をしたものである。【選択図】  図１
2007105418.tif 000002
【特許請求の範囲】
【請求項１】
バネ性のある金属をＣ字形状に加工したものにゲルマニュウムを塗布し周囲をシリコンや樹脂などの柔らかいもので包むために二重成型をしたブレスレット。
【発明の詳細な説明】
【技術分野】
【００１】      本発明はブレスレットにゲルマニュウムを取り付けたものがあるがその取り付け方を改良したものである。
【技術背景】
【００２】      従来のこれらのブレスレットはゲルマニュウムの粒を内側に取り付けたものが主流であった。
【発明の開示】
【発明が解決しようとする課題】
【００３】      そのため、ゲルマニュウムを取り付けるためにブレスレットの内側に複雑な加工をする必要があった。
【課題を解決するための手段】
【００４】      そのような欠点を取り除くためにこの発明はバネ性のある金属をＣ字形状に加工したものにゲルマニュウムを塗布し周囲をシリコンや樹脂などの柔らかいもので包むために二重成型をしたものである。
【発明の効果】
【００５】      シリコンや樹脂の内部に納められたＣ字形状のバネ性のある金属にゲルマニュウムを塗布するので複雑な加工が不必要である。
【発明を実施するための最良の形態】
【００６】      以下、本発明の実施の形態について説明する。
１．バネ性のある金属をＣ字形状に加工する。
２．その金属にゲルマニュウムを塗布する。
３．その金属をシリコンや樹脂などの柔らかいもので二重成型する。
【図面の簡単な説明】
【図１】      二重成型されたブレスレット
【図２】      ゲルマニュウムを塗布したバネ性の金属
【符号の説明】
１．ブレスレット本体
２．ゲルマニュウムを塗布したバネ性の金属
【図１】
2007105418.tif 000003
【図２】
2007105418.tif 000004
(57)【要約】      （修正有）【課題】室内に置き敷きしたカーペット、合成樹脂マット、その他敷物の端部に発生する、段差やめくり上がり箇所につまずく事故を防ぐ為の器具の提供。【解決手段】細長い上下２枚の板からなる合成樹脂、ゴム等で構成された敷物つまずき防止器具であり。押さえ板（１）は軟質性を有する円弧型に形成し、押さえ板（１）と底板（２）は一辺で結合し又、一辺は離反し自在に捲り上げることのできる構造を特徴とするものである。敷物の縁下部に敷物つまずき防止器具を置き、押さえ板（１）の一辺を指で捲り上げながら敷物の縁を底板（２）との間に差し込む。押さえ板（１）は円弧型の形状を保ち鋭角に底板（２）と結合している為に敷物を挟み込み固定する。【選択図】図１
2007105417.tif 000002
【特許請求の範囲】
【請求項１】
鋭角に一辺を結合させた細長い押さえ板（１）と底板（２）からなる合成樹脂、ゴム、その他適宜の材質よって形成された敷物つまずき防止器具であり。押さえ板（１）は軟質性を有する円弧状に構成し、一辺を離反した底板（１）との間に空洞を設ける事を特徴とした敷物つまずき防止器具。
【請求項２】
押さえ板（１）は底板（２）より一辺が離反し自在に捲り上げる事のできる構造を特徴とする請求項１記載の敷物つまずき防止器具。
【発明の詳細な説明】
【技術分野】
【０００１】  本発明は室内に置き敷きしたカーペット、合成樹脂マット、その他敷物の端部に発生する、段差やめくり上がり箇所につまずく事故を防ぐ為の器具に関する。
【背景技術】
【０００２】  従来室内にはさまざまな敷物が敷かれている、床に接着されているものと違い市販のカーペット、合成樹脂マット、ござ、などを置き敷きにした場合敷物の端部に、たるみやよれ、などが発生し段差やめくり上がり箇所が生じてしまう。この段差につまずく事故は高齢者が特に多く、１センチほどの小さな段差であっても気づかずにつまずいてケガをしてしまう事が多く発生している。【０００３】  置き敷きの敷物はずれやすい為に、自然発生的あるいは荷物や人の移動による外圧で、たるみやよれが発生し敷物の端部に膨らみや段差が生じてしまう。簡単に敷物の端部に取り付けられ、たるみやよれによる段差を防ぐ器具は市販されておらず、この段差を防ぐ為に鋲等で畳と一緒に止めるなどしていたが滑りやすいフローリング床では防止することは困難であった。【０００４】  なお、本案発明に関連する公知技術として、工事業者による金属性の端部止め具等があるが、床に穴を開けビス止めする又、工具を使用し上部をたたき込み固定するなどしなければならず畳の床では使用不可能である上に、移動可能な置き敷きの敷物に使用できるものではなかった。
【発明の開示】
【発明が解決しようとする課題】
【０００５】  本発明は以上のような従来技術の問題点に鑑見てなされたものであり。人や荷物の移動、又、自然発生的による、置き敷きされた敷物の端部に生じる段差を防ぐ事を目的とするものである。【０００６】  高齢者が屋内で転倒する原因の一つに上げられるほど、敷物につまずく事故は多く発生している、高齢者は室内の転倒事故であっても骨折等の大きなけがに繋がりその為、事故防止解決策が多く求められていた。
以上の事から本発明敷物つまずき防止器具は、敷物の端部に簡単且つスムーズに脱着することが可能で、敷物の端部に発生する段差を防止することのできる器具を提供し、つまずきが原因による事故防止を目的にするものである。
【課題を解決する為の手段】
【０００７】  細長い上下２枚の板からなる合成樹脂、ゴム等で構成された敷物つまずき防止器具であり。押さえ板（１）は軟質性を有する円弧型に形成し、押さえ板（１）と底板（２）は一辺で結合し又、一辺は離反し自在に捲り上げることのできる構造を特徴とするものである。敷物の縁下部に敷物つまずき防止器具を置き、押さえ板（１）の一辺を指で捲り上げながら敷物の縁を底板（２）との間に差し込む。押さえ板（１）は円弧型の形状を保ち鋭角に底板（２）と結合している為に敷物を挟み込み固定する。
【発明の効果】
【０００８】  以上の事から本発明敷物つまずき防止器具は、置き敷きされた敷物の端部に発生する段差を防ぐ事が可能であり、段差につまずき転倒する事故を防ぐ事になる。
【０００９】  押さえ板（１）を捲り上げ敷物の縁を差し込み固定するだけのものである為、専用工具を必要とせず簡単且つスムーズに脱着する事が可能であり、敷物に取り付けた状態で移動する事もできるものである。
【００１０】  円弧型の押さえ板（１）は敷物と床の間をなだらかな曲線で繋ぐことになり安全性を保ち、敷物の一端は敷物つまずき防止器具に固定され、自然発生的あるいは人や荷物の移動などで敷物に外圧が加えられても端部に段差が発生する事を激減させる事が可能になる。
【００１１】  敷物つまずき防止器具を敷物の四方全てに取り付けることで、敷物全体を安定的に固定する事も可能になる。
【００１２】  高齢者は筋力の低下と共に、骨質、免疫性等けがをしやすい体質になる為、つまずき事故を未然に防止する事が最良の方法であり、医療費の削減にも貢献するものである。
【発明を実施する為の最良の形態】
【００１３】  以下、本発明の実施の形態を図面に基づき詳細に説明する。
【００１４】  図１に示すように、細長く形成された押さえ板（１）の一辺と底板（２）の一辺を鋭角に結合する。押さえ板（１）は底板（２）に較べ若干軟質性を有した円弧状に構成する。
【００１５】  図２に示すように、押さえ板（１）と底板（２）のもう一辺は離反し、押さえ板（１）は捲り上げる事を可能にする。図３に示すように、敷物の縁部の下に敷物つまずき防止器具を置き、押さえ板（１）を指で捲り上げ、押さえ板（１）と底板（２）の間に敷物の縁部を差し込み固定する。
【００１６】  図４に示すように、敷物つまずき防止器具を取り付けた箇所は、敷物と床の間をなだらかな曲線で繋ぐ事になり、歩行中足先が掛かってしまう段差やめくり上がり箇所を防ぎ安全性を保つ事が可能になる。又、底板（２）の下部に凹凸状の突起を設ける事ですべり止め効果となり、より安定させる事になる。
【図面の簡単な説明】
【００１７】
【図１】  本発明敷物つまずき防止器具の斜視図
【図２】  本発明敷物つまずき防止器具の断面図
【図３】  取り付け状況を示す図
【図４】  使用状況を示す図
【符号の説明】
【００１８】  １      押さえ板
２      底板
３      敷物
【図１】
2007105417.tif 000003
【図２】
2007105417.tif 000004
【図３】
2007105417.tif 000005
【図４】
2007105417.tif 000006
(57)【要約】【課題】洗顔時や化粧時、及び作業時の髪の毛の乱れによる、作業の妨げを防止するヘアバンドを提供する。【解決の手段】伸縮性のあるヘアバンドを長くした物を、平均的頭囲サイズで区切って縫うことによって、輪を二つ設ける。【選択図】図３
2007105414.tif 000002
【特許請求の範囲】
【請求項１】
従来型の伸縮性のあるヘアバンドを長くした物を作成し、平均的頭囲サイズに区切って縫う。それによって輪を二つ設ける。
【発明の詳細な説明】
【技術分野】
【０００１】本発明は、髪の毛全体をまとめて保持するためのヘアバンドに関するものである。
【背景技術】
【０００２】従来のヘアバンドは、主に前髪を保持するためのものである。
【発明の開示】
【発明が解決しようとする課題】
【０００３】従来のヘアバンドは、主に前髪を保持するものであって、長髪の場合、特に下向き動作時に、ヘアバンドで押さえていない髪の毛が、首や顔にかかるため、他に髪留めを必要とした。
本発明は、この課題を解決するためになされたものである。
【課題を解決するための手段】
【０００４】伸縮性のあるヘアバンドを長くした物を作成し、平均的頭囲サイズで区切って縫うことによって、輪を二つ設ける。
【発明の効果】
【０００５】本発明により、このヘアバンド一本で前髪の保持だけでなく、左右、後ろの髪をまとめて、もう一本の輪に通し、また結う事によって、首振り、下向き動作でも、髪の毛が首や顔にかからない。
【発明を実施するための最良の形態】
【０００６】伸縮性のあるヘアバンド（図１）を、従来型より長くした物を作成し、平均的頭囲サイズ部で区切って縫う（図２）ことによって、輪を二つ設ける。（図３）
本発明は以上の構成からなるので、本発明を使用するときは、頭囲サイズの輪を従来型ヘアバンド同様に装着する。この際、もう一つの輪は後頭部の位置にくるようにする。（図４）
後頭部にあるもう一つの輪に、左右、後ろの髪をまとめて、通したり、また結うことによって、髪全体をまとめ保持する。（図５）
【図面の簡単な説明】
【０００７】
【図１】本図は、伸縮性のある長めのヘアバンドの斜視図である。
【図２】本図は、伸縮性のある長めのヘアバンドを、平均的頭囲サイズ部で縫った斜視図である。
【図３】本図は、伸縮性のある長めのヘアバンドを、平均的頭囲サイズ部で縫って、二つ輪になった平面図である。
【図４】本発明の装着過程を示す。
【図５】本発明の装着事例を示す。
【符号の説明】
【０００８】１  伸縮性のある長めのヘアバンド。
２  二つ輪にするために縫った糸。
【図１】
2007105414.tif 000003
【図２】
2007105414.tif 000004
【図３】
2007105414.tif 000005
【図４】
2007105414.tif 000006
【図５】
2007105414.tif 000007
(57)【要約】【課題】座体がないことでお尻を上げる必要がなく、あてがうだけで使用出来る座椅子を提供する。【解決手段】  前面に開口部のある基盤に背板を設け、それに支軸を設け、座るときに腿やお尻を乗せる座体などを設けないことを特徴とし、あてがうだけで座る事ができる座椅子。【選択図】    図１
2007105420.tif 000002
【特許請求の範囲】
【請求項１】
前面に開口部のある基盤に背板を設け、それに支軸を設け、座るときに腿やお尻を乗せる座体などを設けないことを特徴とし、あてがうだけで座る事ができる座椅子。
【発明の詳細な説明】
【技術分野】
【０００１】  本発明は、前面に開口部のある基盤に背板を設け、それに支軸を設け、座るときに腿やお尻を乗せる座体などを設けないことを特徴とし、あてがうだけで座る事ができる座椅子。
【背景技術】
【０００２】  従来、座体にお尻をおろす座椅子はあった。
【発明の開示】
【発明が解決しようとする課題】
【０００３】  そのため次のような問題点があった。
座椅子に座るには、いちいちお尻を上げて座体の上にお尻を下ろさなくてはならないため、面倒であり、ましてや病床に臥している人の上半身を起こしておくには、リクライニングベッドを使用していない人にとっては、座椅子を使うことは出来ず、倒れないように支えるものを工夫しなくてはならず、介護する人にも負担が多かった。
本発明はこれらの欠点を除くためになされたものである。
【課題を解決するための手段】
【０００４】（イ）開口部（１）を有した基盤（２）の両側に、前後に走る溝（３）を有した台座（４）を設け、背板（５）の両側に設けた横軸（６）の下方を台座（４）の溝（３）に挿入し、台座（４）と横軸（６）を一緒に貫通させて留め具（８）で留める。
（ロ）横軸（６）のやや下方に支軸（７）の上端を貫通させて留め具（８）で留め、相対する支軸（７）の下端の間に基盤接地軸（９）を橋渡して設ける。
（ハ）基盤（２）に左右方向に凸部を形成したストッパー（１０）を並列して数本設け、支軸（７）の角度を変えると同時に基盤接地軸（９）をスライドし、ストッパー（１０）でこれを受け止め、自由に背板（５）の角度を調節する。
以上を特徴とする座椅子である。
【発明の効果】
【０００５】  いちいちお尻を上げなくても、背中に当てがうだけで従来の座椅子と同様座る事が出来る為便利であり、寝たきりの人を起こしておくには介護者の負担が少ない。座体による段差がないので、正座でも利用出来る。
【発明を実施するための最良の形態】
【０００６】  以下、本発明の実施形態について説明する。
（イ）開口部（１）を有した基盤（２）の両側に、前後に走る溝（３）を有した台座（４）を設け、背板（５）の両側に設けた横軸（６）の下方を台座（４）の溝（３）に挿入し、台座（４）と横軸（６）を一緒に貫通させて留め具（８）で留める。
（ロ）横軸（６）のやや下方に支軸（７）の上端を貫通させて留め具（８）で留め、相対する支軸（７）の下端の間に基盤接地軸（９）を橋渡して設ける。
（ハ）基盤（２）に左右方向に凸部を形成したストッパー（１０）を並列して数本設け、支軸（７）の角度を変えると同時に基盤接地軸（９）をスライドし、ストッパー（１０）でこれを受け止め、自由に背板（５）の角度を調節する。
以上を特徴とする座椅子である。
【実施例１】
【０００７】座椅子の後ろすべり防止のために基盤裏面の一部に滑り止め材を貼るとよい。
【図面の簡単な説明】
【０００８】
【図１】  本発明の斜視図である
【図２】  本発明の左側断面図である。
【図３】  本発明の一部を切り欠いた断面図である。
【符号の説明】
【０００９】１    開口部
２    基盤
３    溝
４    台座
５    背板
６    横軸
７    支軸
８    留め部
９    基盤接地軸
１０  ストッパー
【図１】
2007105420.tif 000003
【図２】
2007105420.tif 000004
【図３】
2007105420.tif 000005
(57)【要約】      （修正有）【課題】頭囲ベルトにセットするマスク部に、囲い部とフック部を設けた作業マスクを提供する。【解決手段】頭囲ベルト１の両端にベルト留め面ファスナーを備え、マスク部をフックさせる差込留め部を左右に設け、マスク部左右上部にフック部を設け、上下縁に囲い形状ダーツを設けるための面ファスナーを備えた事を特徴とする作業マスク。  浮かし留めが行えるため、顔とマスクの間に空間８があり、左右の縁も大きく開きが出来るために眼部透明部が曇らず、眼鏡使用ができる。【選択図】図３
2007105415.tif 000002
【特許請求の範囲】
【請求項１】
頭囲ベルトの両端にベルト留め面ファスナーを備え、マスク部をフックさせる差込留め部を左右に設け、マスク部左右上部にフック部を設け、上下縁に囲い形状ダーツを設けるための面ファスナーを備えた事を特徴とする作業マスク。
【発明の詳細な説明】
【技術分野】
【０００１】  本発明は、頭囲ベルトに囲いを設けたマスク部をフックさせる作業マスクに関するものである。
［技術背景］【０００２】  従来、簡易マスクや、火花や粉塵等除けの重厚なマスクがあった。
【発明の開示】
【発明が解決しようとする課題】
【０００３】  そのために、次のような問題点があった。
（イ）日用大工作業や、調理の揚げ物油はねなどの顔に当たると痛い熱いまた、しみのもとにならないように手軽に使用すできるものではなかった。
（ロ）眼部が曇ったり、眼鏡がかけられる形状でなかった。
本発明は、これらの問題点を、解決するためになされたものである。
【課題を解決するための手段】
【０００４】  頭囲ベルトの両端にベルト留め面ファスナーを備え、マスク部をフックさせる差込留部を左右に設け、マスク部左右上部にフックを設ける。上下の縁に囲い形状を設ける。
以上を特徴とする作業マスクである。
【発明の効果】
【０００５】  浮かし留めが行えるため、顔とマスクの間に空間があり、左右の縁も大きく開きが出来るために眼部透明部が曇らず、眼鏡使用も出来る。
囲い部のタックまた、ベルト部の差込部が自由に調節できるのでフリーサイズで使用できる。
【発明を実施するための最良の形態】
【０００６】  以下、本発明の実施の形態について説明する。
（イ）頭囲ベルト（１）の両端にベルト留め面ファスナー（２）を備え、頭囲左右に当たる位置に差込留部（３）を設ける。
（ロ）マスク部上部左右にフック部（５）を設け上下の縁囲い部（６）として面ファスナーのフリーマジックを上５箇所下３箇所備える。
（ハ）眼部（７）に透明強化ガラスまた、強化アクリル等をはめる。
本発明は以上のような構成で、これを使用する時は、頭囲ベルト（１）を頭囲に合わせ留面ファスナー（２）で留める。マスク部（４）の囲い部（６）の面ファスナーを好みに合わせ留めダーツを作る。頭囲ベルト（１）の差込留め部（３）の好みの位置にフック部（５）を差込みセットする。
【実施例１】
【０００７】  ベルト部（１）は、ずれにくい材質を選ぶ。マスクの材質は、不燃布に張りをもたせる。
【図面の簡単な説明】
【０００８】
【図１】本発明のベルト部図
【図２】本発明のマスク部裏図
【図３】本発明のセット平面図
【図４】本発明のセット正面図
【符号の説明】
【０００９】１  ベルト
２  留め面ファスナー
３  差込留め部
４  マスク部
５  フック部
６  囲い部
７  眼部
８  空間
【図１】
2007105415.tif 000003
【図２】
2007105415.tif 000004
【図３】
2007105415.tif 000005
【図４】
2007105415.tif 000006
(57)【要約】      （修正有）【課題】高齢者及び体調不良者の介護において、被介護者の洗髪を行う場合に被介護者の顔を濡らさずに洗髪のできる用具を提供する。【解決手段】介護者が被介護者の洗髪を行う際に、被介護者の口及び目等に湯やシャンプーが入らないよう顔を覆うフェイスガードを用いる。該フェイスガードは、メガホン型円錐形をしており、広い開口部の周囲をゴムで覆い顔に当て、反対側の狭い開口部に取っ手を設け被介護者が握ることができるようにする。被介護者は狭い開口部により呼吸が楽にでき、又一部該フェイスガードに入った湯やシャンプーは集中して下に流れ、被介護者の負担が軽く、手早く洗髪が可能となる。【選択図】図１
2007105434.tif 000002
【特許請求の範囲】
【請求項１】
洗髪時にお湯やシャンプーが目や口等に入るのを防ぐ
【請求項２】
顔面にあてる部分の反対側も空いているので呼吸が楽にできる
【請求項３】
円錐形なのでお湯やシャンプーが集中して下へ流れる
【請求項４】
取っ手が細くなっているので持ちやすい
【発明の詳細な説明】
【発明の詳細な説明】
［従来］体調不良やその他の理由により入浴不可の場合、やむおえず洗面台等で介助にて洗髪を行う場合  口や目等にお湯やシャンプーが入らぬようタオル等使用しているがそれでも完全に防ぐ事は困難でありその為に時間が余分にかかる
【図面の簡単な説明】
【図１】
2007105434.tif 000003
【図２】
2007105434.tif 000004
【手続補正書】
【提出日】平成17年12月21日(2005.12.21)
【手続補正２】
【補正対象書類名】明細書
【補正対象項目名】全文
【補正方法】変更
【補正の内容】
【書類名】明細書    【発明の名称】顔を濡らさず洗面台で洗髪（フェイス・ガード）    【発明の詳細な説明】顔を濡らさず洗面所で洗髪できる  メガホン型フェイスガード現在、浴室にて、顔や口にシャンプーが入らないようにするシャンプーハット等があります。  しかし、体調不良やその他の理由により入浴できずに洗髪する事は不可能です。本発明は、顔や口、目等にシャンプーが入らずに洗面所でも洗髪することができる。    【図面の簡単な説明】    【図１】・・メガホン型フェイスガード本体    【図２】・・本体の使用方法    【符号の説明】  〔図１〕▲１▼・・円すい形の本体はプラスチックで水やシャンプーが集中して取っ手部分に流れる▲２▼・・顔に当てるふちの部分はゴム又は細めのホース等で縁取りする▲３▼・・持ち手は握りやすいように細めにする▲４▼・・握り手のふちは呼吸しやすいように開けておく  〔図２〕▲５▼・・顔の内側にぴったりと合わせる〔目、鼻、口をおおう〕▲６▼・・無理なく握れるよう凸凹にする▲７▼・・呼吸できるよう閉じない【手続補正３】
【補正対象書類名】図面
【補正対象項目名】全図
【補正方法】変更
【補正の内容】
【図１】
2007105434.tif 000005
【図２】
2007105434.tif 000006
(57)【要約】      （修正有）【課題】一般普及型の指圧器に指圧する場所を無理なく自由に調整できる機能をもつ指圧位置調整機構を設けた指圧器を提供する。【解決手段】一般普及型の指圧突起２付きの指圧器本体１の両側に取り出し扉３をつけ、収納可能となる紐状体あるいはベルト状体を取り付け、それを上下左右に移動させて指圧場所を調節できる指圧位置調整機構を設けた。指圧器本体には、さらに指圧位置調整機構が収納可能となるように収納部を設けた。また収納部には指圧位置調整機構の巻取り機構を設けた。【選択図】図１
2007105440.tif 000002
【特許請求の範囲】
【請求項１】
指圧器本体に、上下左右に移動させながら指圧部の位置を調節するための指圧位置調整機構を設けたことを特徴とする指圧器。
【請求項２】
指圧位置調整機構が紐状体あるいはベルト状体であることを特徴とする請求項１記載の指圧器。
【請求項３】
指圧位置調整機構が収納可能となるよう指圧器本体に収納部を設けたことを特徴とする請求項１あるいは請求項２記載の指圧器。
【請求項４】
収納部に指圧位置調整機構の巻取り機構を設けたことを特徴とする請求項１、請求項２、請求項３記載の指圧器。
【発明の詳細な説明】
【技術分野】
【０００１】  本発明は一般普及型のツボ等を押圧する指圧器の同側に紐状体あるいはベルト状体を取り付け両手を使ってそれを操作することにより指圧する場所を調整できる指圧位置調整機構付き指圧器である。
【背景技術】
【０００２】  従来、手で指圧器を後背部にもっていき後ろ手で指圧器を動かしたり、指圧器上で身体自体を動かすことにより患部を指圧器に押し当て押圧していた。
【発明の開示】
【発明が解決しようとする課題】
【０００３】そのために、次のような問題点があった。
（イ）手を後背部にもっていき指圧器を指圧させたい場所にその都度移動させるのは大変      難しかった。
（ロ）指圧器自体にアーム状の物を取り付けたものなどは保管したり携帯する時などはじ      ゃまになり大変不便である。
【課題を解決するための手段】
【０００４】  一般普及型の指圧器の両側に扉をつけ、紐状体あるいはベルト状体を取り付けたもので、すなわち指圧器本体の扉内部に収納できる指圧位置調整機構を設けた指圧器である。
【発明の効果】
【０００５】  本発明は指圧位置調整機構を操作することにより、手を後背部にもっていくような無理な体勢をしなくても指圧したい微妙な位置に指圧器を移動させることができ、指圧位置調整機構は、かさばらずに本体に収納することができ、以前の指圧器のサイズや形状には変わりない。
【発明を実施するための最良の形態】
【０００６】  以下、本発明の実施の形態について説明する。
（イ）一般普及型の指圧器、及び指圧マッサージ器具、骨格矯正器具等の両側に紐状体あ      るいはベルト状体等の指圧位置調整機構を取り込む扉を設ける。
（ロ）収納部の扉の上部中央に紐状体等の指圧位置調整体が通る切り込み口を設ける。
（ハ）扉内部の収納部に紐状体あるいはベルト状体の片端を取り付ける。
（ニ）手で操作する側の紐状体あるいはベルト状体は握りやすいように輪状等の操作部あ      るいはにぎり部を設けておく。
（ホ）巻取り機構を設けたものは本発明の形態と同様であるが扉内部の収納部に手動式巻    取りダイヤル（６）等の巻き取り機構を設ける。
本発明は、以上の構成でなっている。
本発明を使用するときは指圧器本体（１）の両側にある収納部に設けた取り出し扉（３）を開け紐状体あるいはベルト状体（４）の指圧位置調整体をそれぞれ取り出す。仰向けになり指圧器本体（１）の上に背部をあて、指圧したい部分に指圧突起（２）をあてる。紐状体あるいはベルト状体（４）を左右の手にそれぞれ持ち背中より肩にまわす。
紐状体あるいはベルト状体（４）を足部方向に引くことにより指圧器本体（１）が背部下部より上部の方向に移動し指圧突起（２）を指圧したい部分に接触することができる。また左右に引く事により背骨に近いツボの道筋の経絡から遠い経絡まで指圧することができ横の動きまでも対応している。
【実施例１】  図８〜図１０に示す様に、紐状体あるいはベルト状体（４）を取り出しやすいように取り出し扉（３）は、観音開き・スライド式・回転式等、様々な形態を用いてもよい。
【実施例２】  図１１に示す様に、紐状体あるいはベルト状体（４）を取り出しやすいように、紐状体あるいはベルト状体（４）と取り出し扉（３）が固定され一体化されていて、取り出し扉（３）が本体より分離でき、輪（５）等の操作部等の役目もはたすことができる形態とすることもできる。
【実施例３】  図１２〜図１３に示す様に、紐状体あるいはベルト状体（４）を巻き取りやすいように、手動式巻き取りダイヤル（６）等は１つのダイヤルの両軸に巻き取る形状、本体中心にあるダイヤルそのものに巻き取る形状等、様々な形態を用いてもよい。
【実施例４】  図１４に示す様に、紐状体あるいはベルト状体（４）を巻き取りやすいように、本体の周囲をくぼみ状に形成することができる。
【実施例５】  図１５に示す様に、指圧位置調整機構は紐状体あるいはベルト状体（４）を収納しやすいようにスプリング状体とすることもできる。
【図面の簡単な説明】
【０００７】
【図１】    本発明の斜視図
【図２】    本発明の斜視図
【図３】    本発明の使用状態を示す側面図
【図４】    本発明の使用状態を示す側面図
【図５】    本発明の使用状態を示す斜視図
【図６】    本発明の後斜視図
【図７】    本発明の断面図
【図８】    本発明の取り出し扉の一例を示した図
【図９】    本発明の取り出し扉の一例を示した図
【図１０】    本発明の取り出し扉の一例を示した図
【図１１】    本発明の巻き取り機構の一例を示した図
【図１２】    本発明の巻き取り機構の一例を示した図
【図１３】    本発明の巻き取り機構の一例を示した図
【図１４】    本発明の一例を示した図
【図１５】    本発明の指圧位置調整機構の一実施例を示した図
【符号の説明】
【０００８】    １  指圧器本体
２  指圧突起
３  取り出し扉
４  紐状体あるいはベルト状体
５  輪
６  手動式巻取りダイヤル
【図１】
2007105440.tif 000003
【図２】
2007105440.tif 000004
【図３】
2007105440.tif 000005
【図４】
2007105440.tif 000006
【図５】
2007105440.tif 000007
【図６】
2007105440.tif 000008
【図７】
2007105440.tif 000009
【図８】
2007105440.tif 000010
【図９】
2007105440.tif 000011
【図１０】
2007105440.tif 000012
【図１１】
2007105440.tif 000013
【図１２】
2007105440.tif 000014
【図１３】
2007105440.tif 000015
【図１４】
2007105440.tif 000016
【図１５】
2007105440.tif 000017
(57)【要約】      （修正有）【課題】白髪や枝毛等特定の髪のみをカットする場合、白髪や枝毛等特定の髪周囲の健康な毛髪を切断したり毛根を傷めたりすることなく白髪や枝毛等特定の髪のみを選別し、切断できる白髪等用カッターを提供すること。【解決手段】カミソリ等の切刃が内設されたカッターの１側に切り込み口４を設け、選別部材３としての選別棒を設けたもので、安全かつ簡単に白髪や枝毛等特定の髪を切断できる。【選択図】図１
2007105439.tif 000002
【特許請求の範囲】
【請求項１】
切刃が内設されたカッター本体に特定毛髪誘導口を設け、選別部材を設けたことを特徴とする白髪等用カッター。
【請求項２】
切刃操作機構を設けたことを特徴とする請求項１記載の白髪等用カッター。
【発明の詳細な説明】
【技術分野】
【０００１】  本発明は白髪や枝毛等特定の髪のみを切りやすくするための白髪等用カッターに関するものである。
【背景技術】
【０００２】  従来、白髪や枝毛等特定の髪を切る場合、小鋏や毛抜き等を使用していた。
【発明の開示】
【発明が解決しようとする課題】
【０００３】  そのために次のような問題点があった。
（イ）白髪や枝毛等特定の髪のみを鋏を使用して切ろうとすると周囲の数本の健康な毛髪      も切ってしまう。
（ロ）白髪や枝毛等特定の髪を毛抜きを使用して抜いた場合、毛根も引き抜いてしまうた      め、頭皮の痛みや、毛根の喪失により発育再生は困難になる。
（ハ）切刃がむき出しのため危険である。
本発明は、これらの問題点を解決するためになされたものである。
【課題を解決するための手段】
【０００４】カミソリ等の切刃が内蔵された、カッター本体の一側に特定の毛髪を誘導する案内口である切り込み口を設け、その先端に白髪や枝毛等特定の髪を選別する部材を設けた物で、安全かつ簡単に白髪や枝毛等特定の髪を選別し切断できる。以上を特徴とする白髪等用カッターである。
【発明の効果】
【０００５】白髪や枝毛等特定の髪のみを選別し、白髪や枝毛等特定の髪の周囲の毛髪を切断することなく、根元より白髪や枝毛等特定の髪のみを簡単にカットすることができ、安全で痛みもなく毛根や頭皮を傷つけることはない。
【発明を実施するための最良の形態】
【０００６】以下、本発明の実施の形態について説明する。
（イ）プラスチックの本体（１）とカバー（５）からなり、毛髪の挿入口として、特定毛      髪誘導口（４）を設けその先端には白髪や枝毛等特定の髪を選別するための選別部      材（３）としての選別棒を設ける。
（ロ）本体上部に切り込みを入れプラスチックの弾性を利用した切刃操作機構（２）に切      刃（６）をとりつけ、本体に内設する。
（ハ）本体カバー（５）をはめる。
本発明は以上のような構成よりなっている。
本発明を使用するときは、選別部材（３）により白髪や枝毛等特定の髪を選び出し、これを指でつまみ側部から特定毛髪誘導口（４）にいれ、その奥部までもっていく。その状態で特定毛髪誘導口（４）を白髪や枝毛等特定の髪の根元まですべりおろし、本体を頭皮に接する様下ろす。そして切刃操作機構（２）を操作すると白髪や枝毛等特定の髪を切断することができ、切断後の特定毛髪（７）の先端は指でつまんでいるため、そのままゴミ箱等に処理することができる。
【実施例１】図６〜図９に示す様に選別部材は頭皮を傷つけないように先端を球状にした棒状のものや毛髪を選別し易い様にコーム状・Ｖ字型・カギ状等、様々な形態を用いてもよい。
【実施例２】図１０に示す様に特定毛髪誘導口（４）に白髪や枝毛等特定の髪が導入しやすいように爪状体を設けることができる。
【実施例３】図１１に示す様に特定毛髪誘導口（４）の切込み方向は選別部材（３）の方向より持手の方向に向けた切込みとすることができる。
【実施例４】図１２に示す様に特定毛髪誘導口（４）の切込み方向は持手の方向より選別部材（３）の方向に向けた切込みとすることができる。
【実施例５】図１３に示す様に選別部材（３）と特定毛髪誘導口（４）を一体化した形状とすることもできる。
【図面の簡単な説明】
【０００７】
【図１】  本発明の斜視図
【図２】  本発明のカバーを外した内部図
【図３】  本発明の上部図
【図４】  本発明の使用状態を示す斜視図
【図５】  本発明の使用状態を示す斜視図
【図６】  本発明の選別部材の一例を示した図
【図７】  本発明の選別部材の一例を示した図
【図８】  本発明の選別部材の一例を示した図
【図９】  本発明の選別部材の一例を示した図
【図１０】  本発明の特定毛髪誘導口の一例を示した図
【図１１】  本発明の特定毛髪誘導口の一例を示した図
【図１２】  本発明の特定毛髪誘導口の一例を示した図
【図１３】  本発明の一例を示した図
【図１４】  本発明の使用状態を示す斜視図
【符号の説明】
【０００８】    １  本体
２  切刃操作機構
３  選別部材
４  特定毛髪誘導口
５  カバー
６  切刃
７  特定毛髪
８  爪
【図１】
2007105439.tif 000003
【図２】
2007105439.tif 000004
【図３】
2007105439.tif 000005
【図４】
2007105439.tif 000006
【図５】
2007105439.tif 000007
【図６】
2007105439.tif 000008
【図７】
2007105439.tif 000009
【図８】
2007105439.tif 000010
【図９】
2007105439.tif 000011
【図１０】
2007105439.tif 000012
【図１１】
2007105439.tif 000013
【図１２】
2007105439.tif 000014
【図１３】
2007105439.tif 000015
【図１４】
2007105439.tif 000016
(57)【要約】【課題】本発明はガーゼ又は不織布等でブラシをカバーして、カバーを取り除くことのよって素早くブラシの汚れを取り除き、いつも、誰でもブラシを簡単に清潔にすることが出来るようにするカバーを提供する。【解決手段】ガーゼ又は不織布等で縁にシャーリングがしてあり何時、だれでもカバーを取り替えて簡単に清潔にすることが出来る。【選択図】図２
2007105435.tif 000002
【特許請求の範囲】
【請求項１】
ブラシをカバーで覆うこと（ブラシの毛をだして）。
【請求項２】
ブラシカバーの端がシャーリングになっていること。
【発明の詳細な説明】
【技術分野】
【０００１】    本発明はブラシの汚れを簡単に取り除く為、ブラシを覆うカバーに関するものである。
【発明の開示】
【発明が解決しようとする課題】
【０００２】    ブラシの汚れを取り除く時、次のような問題点があった。ブラシの毛の間（目）やブラシの毛の汚れ、髪の毛が取りずらく、きれいに取れにくかった。ブラシの汚れをとり除く不便さ、手の汚れ、ブラシの共同使用等で清潔さを保つため、取り除きにくいブラシの汚れを簡単に取り除く為、本発明は、これらの問題点を解決するためになされたものである。
【課題を解決するための手段】
【０００３】    ブラシの頭（毛）にあたる部分に縁部にシャーリングしてあるカバーをかぶせてクシの毛を出す。本発明は以上の構成よりなりブラシの汚れをとるブラシカバーである。
【発明の効果】
【０００４】    本発明を使用する時カバーをとりはずすことにより髪の毛を取り除きブラシについた汚れも簡単に取り除くことが出来る。
【発明の実施の最良の形態】
【０００５】  以下、本発明の実地の形態を説明する。
（イ）  ガーゼや不織布のようなもので，柔らかく（１）にブラシの毛がとうるもの。
（ロ）  薄くてブラシに馴染み縁部が伸縮性のもので（１）の縁部に（２）シャーリングがしてあり包み込む。
（ワ）  皮膚に触れても痛くない。
本発明は以上の構成よりなる。
本発明を使用する場合、ブラシにかぶせて毛をだして使用する。
【図面の簡単な説明】
【０００６】
【図１】  本発明全体の表正面図
【図２】  本発明全体の後ろ正面図
【符号の説明】
【０００７】  （１）カバー          （２）シャーリング部分
【図１】
2007105435.tif 000003
【図２】
2007105435.tif 000004